(57)【要約】      （修正有）【課題】耐久性に富み、常に安定した状態で圧縮空気の排出量を調製することが可能な血圧計用排気調整弁を提供する。【解決手段】加圧ポンプに連結する管体１０の側面に調整筒体２０を設ける。調整筒体２０内にコイルスプリング３１を介して挿入する挿入部３２を設ける。挿入部３２の上端部に圧着フランジ３３を設ける。圧着フランジ３３の下面と調整筒体２０の開口部２２上端縁との間に弾性弁３４を設ける。圧着フランジ３３を内包するキャップ体４０を設ける。調整筒体２０の開口上部外周にキャップ体４０をネジ止めする。キャップ体４０のネジ止め操作で調整筒体２０からの排出量を調整する。【選択図】図２
0003194968.tif 000002
【実用新案登録請求の範囲】
【請求項１】
加圧ポンプでカフに空気を供給し、排気調整弁を調整してカフの圧力を下げながら血圧値を測定する血圧計用排気調整弁において、加圧ポンプに連結する管体の側面に調整筒体を設け、該調整筒体内にコイルスプリングを介して挿入する挿入部と、挿入部の上端部に設けられた圧着フランジと、圧着フランジの下面と調整筒体の開口部上端縁との間に介される弾性弁とを備えた圧着弁体を設け、該圧着弁体の圧着フランジを内包し調整筒体の開口上部外周にネジ止めするキャップ体を設け、該キャップ体のネジ止め操作で調整筒体からの排出量を調整するように構成したことを特徴とする血圧計用排気調整弁。
【請求項２】
前記圧着弁体の前記挿入部は、前記調整筒体の前記開口部内側に緩く嵌合する筒体挿入部と、該筒体挿入部の下端に突出形成され前記コイルスプリングの上端内部に挿入するバネ挿入部とを備え、前記弾性弁を筒体挿入部の上端外周に設けた請求項１記載の血圧計用排気調整弁。
【請求項３】
前記圧着弁体の前記弾性弁は、弾性力を有するゴム材又は合成樹脂材にてリング形状に形成され、前記圧着フランジの下面に接着された請求項１記載の血圧計用排気調整弁。
【考案の詳細な説明】
【技術分野】
【０００１】
本考案は、腕にカフを巻き付け、加圧ポンプでカフに空気を供給後、カフの圧力低下時にコロトコフ音を検出する血圧計に使用する血圧計用排気調整弁に関するものである。
【背景技術】
【０００２】
当出願には、先に特許文献１に記載のコロトコフ法による血圧計用加圧ポンプを提案している。コロトコフ法による血圧計では、血圧を計測する場合、腕に巻き付けたカフに圧縮空気を供給して加圧し、その後、排気調整弁を調整して圧力を下げながらコロトコフ音の発生、消滅を確認して血圧値を測定する。
【０００３】
この血圧計において、排気調整弁を調整して加圧した圧縮空気を徐々に下げる操作が重要になる。従来の排気調整弁は、圧縮空気を排出する管体１０の側面に貫通口１１を開穿し、この貫通口１１に調整筒体２０を嵌合している（図４参照）。更に、この調整筒体２０内にニードルバルブ１００とコイルスプリング２００とを挿入し、ニードルバルブ１００の先端を排出口２１内に差し込むことで圧縮空気の量を調整するものである（図５参照）。
【先行技術文献】
【特許文献】
【０００４】
【特許文献１】特開２０１３−２５２２９６号公報
【考案の概要】
【考案が解決しようとする課題】
【０００５】
ところが、図５に示すような排気調整弁によると、調整筒体２０の排出口２１にニードルバルブ１００の先端を差し込む操作を繰り返していると、次第にニードルバルブ１００の先端によって排出口２１が広がって密封できなくなる虞があった。
【０００６】
また、排出口２１が広がらないように調整筒体２０の強度を高めると、排出口２１に接するニードルバルブ１００の先端に傷が付いてしまい、この場合も排出口２１を完全に密封できなくなる不都合が生じる。
【０００７】
そこで本考案は、上述の課題を解消すべく案出されたもので、耐久性に富み、常に安定した状態で圧縮空気の排出量を調製することが可能な血圧計用排気調整弁の提供を目的とするものである。
【課題を解決するための手段】
【０００８】
本考案の第１の手段は、加圧ポンプＰでカフＱに空気を供給し、排気調整弁を調整してカフＱの圧力を下げながら血圧値を測定する血圧計用排気調整弁において、加圧ポンプＰに連結する管体１０の側面に調整筒体２０を設け、該調整筒体２０内にコイルスプリング３１を介して挿入する挿入部３２と、挿入部３２の上端部に設けられた圧着フランジ３３と、圧着フランジ３３の下面と調整筒体２０の開口部２２上端縁との間に介される弾性弁３４とを備えた圧着弁体３０を設け、該圧着弁体３０の圧着フランジ３３を内包し調整筒体２０の開口上部外周にネジ止めするキャップ体４０を設け、該キャップ体４０のネジ止め操作で調整筒体２０からの排出量を調整するように構成したことにある。
【０００９】
第２の手段は、前記圧着弁体３０の前記挿入部３２は、前記調整筒体２０の前記開口部２２内側に緩く嵌合する筒体挿入部３２Ａと、該筒体挿入部３２Ａの下端に突出形成され前記コイルスプリング３１の上端内部に挿入するバネ挿入部３２Ｂとを備え、前記弾性弁３４を筒体挿入部３２Ａの上端外周に設けたものである。
【００１０】
第３の手段において、前記圧着弁体３０の前記弾性弁３４は、弾性力を有するゴム材又は合成樹脂材にてリング形状に形成され、前記圧着フランジ３３の下面に接着されたものである。
【考案の効果】
【００１１】
本考案の請求項１の如く、調整筒体２０内にコイルスプリング３１を介して調整筒２０内に挿入する挿入部３２と、挿入部３２の上端部に設けられた圧着フランジ３３と、圧着フランジ３３と調整筒体２０の開口上端縁との間に介される弾性弁３４とを備えた圧着弁体３０を設け、圧着フランジ３３の圧着力で調整筒体２０からの排出量を調整するように構成したことにより、カフＱの圧力調整は、弾性弁３４を介して調整することができる。
【００１２】
この結果、従来のニードルバルブを使用した排気調整弁のように、ニードルバルブの先端によって調整筒の開口部が広がる虞や、ニードルバルブの先端に傷が付いて開口部を完全に密封できなくなる不都合は解消され、耐久性に富み、常に安定した状態で圧縮空気の排出量を調製することが可能になった。
【００１３】
また、請求項２のように、圧着弁体３０の挿入部３２は、調整筒体２０の開口部２２内に嵌入する筒体挿入部３２Ａと、該嵌合部の下端に突出形成されコイルスプリング３１の上端内部に挿入するバネ挿入部３２Ｂとを備え、弾性弁３４を筒体挿入部３２Ａの上端周囲に設けたことから、圧着弁体３０の操作により、圧縮空気の排出量を微調整することができる。
【００１４】
更に、請求項３のごとく、弾性弁３４は、弾性力を有するゴム材又は合成樹脂材にてリング形状に形成され、圧着フランジ３３の下面に接着されたことから、圧着フランジ３３の圧着力を有効に弾性弁３４に伝えることが可能になり、排出量の調整を正確に行うことができる。
【図面の簡単な説明】
【００１５】
【図１】本考案の一実施例を示す分解斜視図である。
【図２】本考案の一実施例を示す要部断面図である。
【図３】本考案を使用した血圧計を示す斜視図である。
【図４】従来の排気調整弁を示す分解斜視図である。
【図５】従来の排気調整弁を示す要部断面図である。
【考案を実施するための形態】
【００１６】
本考案によると、耐久性に富み、常に安定した状態で圧縮空気の排出量を調製することが可能になるなどといった当初の目的を達成した。
【００１７】
以下、図面を参照して本考案の構成を詳細に説明する。本考案排気調整弁は、加圧ポンプＰでカフＱに空気を供給した後、排気調整弁Ｓを調整して圧力を下げながらコロトコフ音の発生、消滅を確認して血圧値を測定するタイプの血圧計に使用するものである（図３参照）。
【００１８】
本考案排気調整弁の主要構成は、調整筒体２０、圧着弁体３０、キャップ体４０にて構成するものである。
【００１９】
調整筒体２０は、加圧ポンプＰに連結する管体１０の側面に設ける筒状部材である（図１参照）。この調整筒体２０は、管体１０の側面に形成した貫通口１１に連結し、排出口２１から開口部２２に向けて圧縮空気を排出する。図示の調整筒体２０は、管体１０内側に窄んだ排出口２１を形成し、管体１０の側面から突出した調整筒体２０の上端部に開口部２２を形成している。
【００２０】
圧着弁体３０は、更に、コイルスプリング３１、挿入部３２、圧着フランジ３３、弾性弁３４にて構成する（図１参照）。
【００２１】
コイルスプリング３１と挿入部３２は、調整筒体２０内に挿入するもので、挿入部３２の筒体挿入部３２Ａを調整筒体２０の開口部２２内側に緩く嵌合する（図２参照）。更に、筒体挿入部３２Ａの下端にバネ挿入部３２Ｂを突設し、このバネ挿入部３２Ｂをコイルスプリング３１の上端内部に挿入するものである。
【００２２】
圧着フランジ３３は、挿入部３２の上端部に設けられた部位で、この圧着フランジ３３の下面に弾性弁３４を設けている。そして、この弾性弁３４を調整筒体２０の開口部２２側に圧着することで、開口部２２から排出される圧縮空気の量を調製する（図２参照）。
【００２３】
弾性弁３４は、弾性力を有するゴム材又は合成樹脂材にてリング形状に形成されている。この弾性弁３４は、圧着フランジ３３の下面に接着され、圧着フランジ３３を調整筒体２０側に押し付けることで開口部２２を密封し、コイルスプリング３１の弾性力で挿入部３２が持ち上がると開口部２２を開口するものである（図２参照）。
【００２４】
キャップ体４０は、圧着弁体３０の圧着フランジ３３を内包する部材で、調整筒体２０の外周にネジ止めするように設けている（図２参照）。そして、このキャップ体４０のネジ止め操作で調整筒体２０からの排出量を調整する。図示のキャップ体４０は、圧着フランジ３３を内包する空洞部４１を設け、この空洞部４１の内側にネジ部４２を形成し、調整筒体２０の外周に形成したネジ付フランジ２３にネジ止めしている。
【００２５】
したがって、キャップ体４０を調整筒体２０側に締め付けると開口部２２が密封され、キャップ体４０を緩めるとコイルスプリング３１の弾性力にて弾性弁３４が開いて圧縮空気を排出する。
【００２６】
尚、本考案は図示例に限定されるものではなく、調整筒体２０、圧着弁体３０、キャップ体４０等の形状は、任意に変更することができるものである。
【符号の説明】
【００２７】
Ｐ  加圧ポンプ
Ｑ  カフ
Ｒ  圧力計
Ｓ  排気調整弁
１０  管体
１１  貫通口
１２  ポンプ側プラグ
１３  カフ側プラグ
２０  調整筒体
２１  排出口
２２  開口部
２３  ネジ付フランジ
３０  圧着弁体
３１  コイルスプリング
３２  挿入部
３３  圧着フランジ
３４  弾性弁
４０  キャップ体
４１  空洞部
４２  ネジ部
１００  ニードルバルブ
２００  コイルスプリング
【図１】
0003194968.tif 000003
【図２】
0003194968.tif 000004
【図３】
0003194968.tif 000005
【図４】
0003194968.tif 000006
【図５】
0003194968.tif 000007